(57)【要約】  ウェブオフセット印刷ユニットは、第１のプレート胴、第１のプレート胴と選択的に接触する第１のブランケット胴、第２のブランケット胴であって、ウェブが第１及び第２のブランケット胴の間を通り、第２のブランケット胴及び第１のブランケット胴は、ウェブの第１及び第２のブランケット胴の間の通過を可能にするための離間位置において、選択的にウェブから係合離脱可能であるもの、及び第２のブランケット胴に選択的に係合可能な第２のプレート胴を有する。第１及び第２のブランケット胴がウェブに係合する場合に、単一駆動モータが、第１のプレート胴、第１のブランケット胴、第２のブランケット胴、及び第２のプレート胴を駆動し、また、単一駆動モータは、第１及び第２のブランケット胴が離間位置にある場合に、第１及び第２のプレート胴を回転する。このため、離間位置の間の自動プレーティングが可能である。
2008534336.tif 000002
【特許請求の範囲】
【請求項１】
ウェブオフセット印刷ユニットであって、
第１のプレート胴と、
前記第１のプレート胴と選択的に接触する第１のブランケット胴と、
第２のブランケット胴であって、ウェブが前記第１及び第２のブランケット胴の間を通り、前記第２のブランケット胴及び前記第１のブランケット胴は、前記ウェブの前記第１及び第２のブランケット胴の間の通過を可能にするための離間位置において、選択的に前記ウェブから係合離脱可能であるものと、
前記第２のブランケット胴に選択的に係合可能な第２のプレート胴と、
前記第１及び第２のブランケット胴が前記ウェブに係合する場合に、前記第１のプレート胴、前記第１のブランケット胴、前記第２のブランケット胴、及び前記第２のプレート胴を駆動する単一駆動モータであって、前記第１及び第２のブランケット胴が前記離間位置にある場合に、前記第１及び第２のプレート胴を回転可能な単一駆動モータとを備えることを特徴とするウェブオフセット印刷ユニット。
【請求項２】
前記第１のプレート胴用の第１の自動プレーティングユニットと、前記第２のプレート胴用の第２の自動プレーティングユニットとを更に備え、前記第１の自動プレーティングユニットは、前記単一駆動モータが前記第１のプレート胴を回転する場合に作動し、前記第２の自動プレーティングユニットは、前記単一駆動モータが前記第２のプレート胴を回転する場合に作動する、請求項１記載のウェブオフセット印刷ユニット。
【請求項３】
前記第１のブランケット胴及び前記第２のブランケット胴は、軸方向移動可能なスリーブを有する、請求項１記載のウェブオフセット印刷ユニット。
【請求項４】
前記単一駆動モータ及び他の印刷ユニットの追加駆動モータを制御する制御ユニットを更に備える、請求項１記載のウェブオフセット印刷ユニット。
【請求項５】
前記第１及び第２のブランケット胴は、離間の間、少なくとも１ｃｍ離れる、請求項１記載のウェブオフセット印刷ユニット。
【請求項６】
前記ウェブは、離間の間、ウェブデフレクタ又はスタビライザのいずれの援助なしに、前記第１及び第２のブランケットの間を通過する、請求項１記載のウェブオフセット印刷ユニット。
【請求項７】
ウェブオフセット印刷ユニットであって、
第１のプレート胴と、
前記第１のプレート胴に固定接続された第１のプレートギヤと、
前記第１のプレート胴と選択的に接触する第１のブランケット胴と、
前記第１のブランケット胴に固定接続された第１のブランケットギヤと、
第２のブランケット胴であって、ウェブが前記第１及び第２のブランケット胴の間を通り、前記第２のブランケット胴及び前記第１のブランケット胴は、前記ウェブの前記第１及び第２のブランケット胴の間の通過を可能にするための離間位置において、前記ウェブから選択的に係合離脱可能であるものと、
前記第２のブランケット胴に固定接続された第２のブランケットギヤと、
前記第２のブランケット胴と選択的に係合可能な第２のプレート胴と、
前記第２のプレート胴に固定接続された第２のプレートギヤと、
前記第１のプレートギヤ、前記第１のブランケットギヤ、前記第２のブランケットギヤ、及び前記第２のプレートギヤを駆動する単一モータであって、前記第１及び第２のブランケット胴が前記ウェブに係合する場合に、前記第１のブランケットギヤと前記第２のブランケットギヤとが係合されるものと、
前記離間位置において前記第１のプレートギヤ及び前記第２のプレートギヤを接続する少なくとも１つの追加ギヤであって、前記離間位置において前記第１及び第２のブランケットギヤは係合離脱され、前記第１及び第２のブランケット胴が前記離間位置にある場合に、前記単一モータは前記第１のプレートギヤ、前記第２のプレートギヤ、及び前記少なくとも１つの追加ギヤを駆動するものとを備えることを特徴とするウェブオフセット印刷ユニット。
【請求項８】
前記少なくとも１つの追加ギヤは２つの追加ギヤを含む、請求項７記載のウェブオフセット印刷ユニット。
【請求項９】
前記第１のブランケット胴を片持ちにするカウンターポイズ装置を更に備える、請求項７記載のウェブオフセット印刷ユニット。
【請求項１０】
オフセット印刷ユニットの第１及び第２のプレート胴を自動プレーティングする方法において、前記オフセット印刷ユニットはまた、第１及び第２のブランケットと単一駆動モータとを有している方法であって、
離間モードを規定するために、前記第１のブランケット胴を前記第２のブランケット胴から離間させて、ウェブを前記第１及び第２のブランケット胴の間を接触なしに通過可能にし、
前記離間モードの間に、前記第１のブランケット胴上の第１のブランケット、及び前記第２のブランケット胴上の第２のブランケットを夫々交換可能にするために、前記第１のブランケット胴から前記第１のプレート胴を、前記第２のブランケット胴から前記第２のプレート胴を離し、
前記離間モードの間に、前記第１のプレート胴を前記単一駆動モータによって回転可能にするために、前記第１のプレート胴を前記第１のブランケット胴に接触させ、
前記離間モードの間に、前記第２のプレート胴を前記単一駆動モータによって回転可能にするために、前記第２のプレート胴を前記第２のブランケット胴に接触させるステップを備えることを特徴とする方法。
【発明の詳細な説明】
【技術分野】
【０００１】
この出願は、２００５年４月１１日出願の米国仮出願第６０／６７０，１８７号の優先権を主張し、これを参照としてここに組み込む。
【０００２】
背景技術
本発明は、概して、印刷プレスに関し、より詳細には、取り外し可能なスリーブ形ブランケットを備えるウェブオフセット印刷プレスに関する。
【０００３】
米国特許第４，２４０，３４６号明細書は、例えば、ブランケットを取り外し可能にするために、互いに離間可能な２つのブランケット胴を有する印刷プレスを開示する。
【０００４】
このようなプレスにおいて、ブランケットは互いに垂直線からオフセットされており、ブランケットがオフセットされるとき、ブランケットを通ってウェブを搬送するために、ウェブをブランケットを介して適切に案内するために案内ロール又はエアバーが必要である。これらのガイドは、印刷物に跡を付け、また２つのプリンティグ印刷ユニットの間のウェブの位置決め（registration）を変更し、印刷品質の悪化をもたらす。
【０００５】
ここに参照として組み込む、米国特許第５，６７８，４８５号明細書は、スリーブ形ブランケットを胴本体上を滑らせること、また滑り外しすることができるように、ブランケット胴を片持ち可能にするカウンターポイズ及びリフト機構を開示する。
【０００６】
プレートをプレート胴に取り付け可能にする半自動又は全自動プレーティング（plating）（自動プレーティング）機構は公知であり、例えば米国特許第５，４９５，８０５号明細書をここに参照として組み込む。プレート胴は、このような自動プレーティングを可能にするために駆動される必要がある。
【０００７】
発明の要約
単一モータ駆動ユニットを用いてスリーブの軸方向の移動を可能にするために、ブランケット胴を離間する場合、ブランケット胴ギヤは係合離脱されるため、本ユニット用の単一駆動モータを用いて両プレート胴を自動プレーティングすることはできない。
【０００８】
本願発明の目的は、ブランケットの大きな離間を可能にし且つ自動プレーティングを可能にしつつ、単一の駆動モータによって印刷ユニットの駆動を可能にすることにある。
【０００９】
本発明は、ウェブオフセット印刷ユニットであって、第１のプレート胴と、前記第１のプレート胴と選択的に接触する第１のブランケット胴と、第２のブランケット胴であって、ウェブが前記第１及び第２のブランケット胴の間を通り、前記第２のブランケット胴及び前記第１のブランケット胴は、前記ウェブの前記第１及び第２のブランケット胴の間の通過を可能にするための離間位置において、選択的に前記ウェブから係合離脱可能であるものと、前記第２のブランケット胴に選択的に係合可能な第２のプレート胴と、前記第１及び第２のブランケット胴が前記ウェブに係合する場合に、前記第１のプレート胴、前記第１のブランケット胴、前記第２のブランケット胴、及び前記第２のプレート胴を駆動する単一駆動モータであって、前記第１及び第２のブランケット胴が前記離間位置にある場合に、前記第１及び第２のプレート胴を回転可能な単一駆動モータとを備えることを特徴とするウェブオフセット印刷ユニットを提供する。
【００１０】
このように、第１及び第２のプレート胴は、駆動モータを用いて自動プレーティングされることが可能である。
【００１１】
好ましくは、第１及び第２のプレート胴は各々、対応する自動プレーティングユニットを有する。
【００１２】
本発明は、ウェブオフセット印刷ユニットであって、第１のプレート胴と、前記第１のプレート胴に固定接続された第１のプレートギヤと、前記第１のプレート胴と選択的に接触する第１のブランケット胴と、前記第１のブランケット胴に固定接続された第１のブランケットギヤと、第２のブランケット胴であって、ウェブが前記第１及び第２のブランケット胴の間を通り、前記第２のブランケット胴及び前記第１のブランケット胴は、前記ウェブの前記第１及び第２のブランケット胴の間の通過を可能にするための離間位置において、前記ウェブから選択的に係合離脱可能であるものと、前記第２のブランケット胴に固定接続された第２のブランケットギヤと、前記第２のブランケット胴と選択的に係合可能な第２のプレート胴と、前記第２のプレート胴に固定接続された第２のプレートギヤと、前記第１のプレートギヤ、前記第１のブランケットギヤ、前記第２のブランケットギヤ、及び前記第２のプレートギヤを駆動する単一モータであって、前記第１及び第２のブランケット胴が前記ウェブに係合する場合に、前記第１のブランケットギヤと前記第２のブランケットギヤとが係合されるものと、前記離間位置において前記第１のプレートギヤ及び前記第２のプレートギヤを接続する少なくとも１つの追加ギヤであって、前記離間位置において前記第１及び第２のブランケットギヤは係合離脱され、前記第１及び第２のブランケット胴が前記離間位置にある場合に、前記単一モータは前記第１のプレートギヤ、前記第２のプレートギヤ、及び前記少なくとも１つの追加ギヤを駆動するものとを備えることを特徴とするウェブオフセット印刷ユニットを提供する。
【００１３】
少なくとも１つの追加ギヤは、２つの追加ギヤを含んでいてもよく、また、離間の間にだけ、又は離間及びウェブが第１及び第２のブランケット胴よって係合されている場合の両方の間にだけ、係合されてもよい。
【００１４】
本願発明はまた、オフセット印刷ユニットの第１及び第２のプレート胴を自動プレーティングする方法において、前記オフセット印刷ユニットはまた、第１及び第２のブランケットと単一駆動モータとを有している方法であって、離間モードを規定するために、前記第１のブランケット胴を前記第２のブランケット胴から離間させて、ウェブを前記第１及び第２のブランケット胴の間を接触なしに通過可能にし、前記離間モードの間に、前記第１のブランケット胴上の第１のブランケット、及び前記第２のブランケット胴上の第２のブランケットを夫々交換可能にするために、前記第１のブランケット胴から前記第１のプレート胴を、前記第２のブランケット胴から前記第２のプレート胴を離し、前記離間モードの間に、前記第１のプレート胴を前記単一駆動モータによって回転可能にするために、前記第１のプレート胴を前記第１のブランケット胴に接触させ、前記離間モードの間に、前記第２のプレート胴を前記単一駆動モータによって回転可能にするために、前記第２のプレート胴を前記第２のブランケット胴に接触させるステップを備えることを特徴とする方法を提供する。
【００１５】
図面の簡単な説明
図１は、８つの本発明に係る印刷ユニットを有するウェブオフセット印刷プレスを示し、
図２は、ウェブが係合されている場合の本発明に係る印刷ユニットの概略図を示し、
図３は、ブランケットが離間位置にあり、プレート胴から係合離脱されている場合の図２における印刷ユニットを示し、
図４は、ブランケットは離間されているが、プレート胴は自動プレーティングを可能にするためにブランケット胴に接している場合の図３における印刷ユニットを示し、
図５は、図２の印刷ユニットの概略端面図を示し、
図６は、図３の印刷ユニットの概略端面図を示す。
【００１６】
詳細な説明
図１は、各々、プレート胴４２、ブランケット胴４４、プレート胴４８、及びブランケット胴４６を有する８つのオフセット印刷ユニット１０，１２，１４，１６，１８，２０，２２，２４を備えるウェブオフセット印刷プレスを示す。図示のように、例えばブラック、シアン、イエロー、及びマゼンタを夫々印刷可能な印刷ユニット１０，１２，１４，１６用のブランケット胴４４及び４６は、印刷モードにおいてウェブ３０をはさむ。ウェブは、ニップローラ３２（該ローラは例えば送込みローラである）を介して印刷ユニット内に入り、また、吐出しローラ３４を介して出ることができる。この吐出しローラ３４は、例えば乾燥器の下流に配置されてもよい。
【００１７】
図示のように、印刷ユニット２２及び２４用の各印刷ユニット用のブランケット胴４４，４６は、互いから離れ且つ対応するプレート胴４２，４８から離れるために、引き離し可能になっている。プレート胴４２，４８は、例えば夫々自動プレート交換器４０，５０による自動プレート交換運転の際に、戻り運動してブランケット胴４４，４６と夫々接触可能である。自動プレート交換器については、米国特許第６，０５３，１０５号、６，４６０，４５７号、及び６，３９７，７５１号明細書に開示されており、ここに参照としてこれらを組み込む。
【００１８】
ブランケット及びプレート胴４２，４４，４６，４８を移動するための離間機構６０が概略的に示されている。好ましくは、各印刷ユニットは単一モータ１７２によって駆動される。各印刷ユニット１０，１２，・・・２４は、同じであってもよい。個々のモータは、共通の制御ユニット２００によって制御可能であり、制御ユニット２００は、プレス全体の各離間機構や各自動プレーティングユニットをも制御可能である。
【００１９】
印刷ユニットの１つが離間されたブランケット胴を有する場合であっても、ニップローラ３２，３４の間のウェブ経路長は、有利には、変動する必要はない。位置合わせは、この引き離しによって影響を受けなくすることが可能である。加えて、マーキングの原因となる、ウェブがブランケット４４，４６に確実に接触しないようにするための案内ロール又はエアロールのようなウェブデフレクタ及びスタビライザは必要ではない。
【００２０】
離間距離Ｄは、好ましくは、少なくとも１ｃｍであり、非常に好ましくは、少なくとも２．５ｃｍであり、すなわち、ウェブは両側に１．２５ｃｍのクリアランスを有している。更に、ブランケット胴４４，４６の中心は、好ましくは、完全垂直から１０°の又はそれより小さい略垂直平面Ｖ内にある。このことは、離間が水平方向に走行するウェブに最大のクリアランスをもたらすという利点を有する。
【００２１】
大きな離間距離Ｄをもたらすためには、通常のギヤ状態からの変更が要求される。これについては、以下に、模範的な実施の形態を用いて説明する。
【００２２】
図２は、ウェブ３０に印刷を行う、例えば、図１における印刷ユニット１０の側面図を示す。ウェブ３０は、プレート胴４２，４８と夫々接触しているブランケット胴４４，４６と接触している。胴４２，４４，４６，４８は、軸端８２，８４，８６，８８を有しており、軸端８２，８４，８６，８８は回転可能支持ハウジング５２，５４，５６，５８によって支持されており、回転可能支持ハウジング５２，５４，５６，５８は、順に、フレーム９０にピボット９２，９４，９６，９８によって夫々支持されている。離間機構６０（図１）の離間アクチュエータ６２，６４，６６，６８は、ピボット９２，９４，９６，９８周りに支持ハウジング５２，５４，５６，５８を夫々回転させることができる。これらのアクチュエータは、例えば、空気圧によって操作可能である。軸端８２，８４，８６，８８の端部には、ギヤ７２，７４，７６，７８が夫々取り付けられており、ギヤ７２，７４，７６，７８は、印刷中は、共に噛み合わされている。
【００２３】
図５は、ギヤ７２，７４，７６，７８並びに、こられの対応する支持ハウジング５２，５４，５６，５８、ピボット９２，９４，９６，９８、及び離間アクチュエータ６２，６４，６６，６８の端面図を示す。フレーム９０に支持されたギヤ１９４，１９６は、ギヤ７６及び７４に夫々接続する。モータ１７２によって駆動される駆動ギヤ１７４は、例えば、順にギヤ７４及び１９６を駆動するギヤ１９４を駆動することができる。ギヤ１７４，１９４及び１９６は、フレーム９０に支持可能であり、そのため、これらの軸は移動しない。
【００２４】
図３は、離間されたブランケット胴４４，４６、及び同様にそれらの対応するブランケット胴４４，４６から引き離されたプレート胴４２，４８を示す。ブランケット胴４４，４６は、夫々カウンターポイズ装置１０２，１０４を用いて片持ち可能にされており、また、支持装置１０６は、例えば、追加の支持を支持ハウジング５６に加えることができる。この位置において、片持ちされているブランケット胴４４，４６上のスリーブ形ブランケットは、例えば、参照として組み込まれた米国特許第５，６７８，４８５号明細書に開示されているように、作動端を介して取り外し可能となっている。
【００２５】
一方、図６に示すように、ギヤ７２，７４，７６，及び７８は係合離脱されており、ギヤ１９４及び１９６は係合したままである。
【００２６】
図４は、対応するブランケット胴４４，４６との係合状態に戻ったプレート胴４２，４８と、これとは逆に離間状態のままのブランケット胴４４，４６とを示す。ギヤ７２及び７４並びに７６及び７８はこの状態においては係合されているため、たとえギヤ７４及び７６が係合されていなくても、プレート胴４２及び４８は、自動プレーティングのために、ギヤ１９４及び１９６を介してモータ１７２及びギヤ１７４によって駆動可能である。
【００２７】
このように、たとえブランケットギヤ７４及び７６が離間状態のままであっても、自動プレーティングユニット４０及び５０は、単一の駆動モータを用いて、各々機能することができる。
【図面の簡単な説明】
【００２８】
【図１】８つの本発明に係る印刷ユニットを有するウェブオフセット印刷プレスを示す図である。
【図２】ウェブが係合されている場合の本発明に係る印刷ユニットの概略図である。
【図３】ブランケットが離間位置にあり、プレート胴から係合離脱されている場合の図２における印刷ユニットを示す図である。
【図４】ブランケットは離間されているが、プレート胴は自動プレーティングを可能にするためにブランケット胴に接している場合の図３における印刷ユニットを示す図である。
【図５】図２の印刷ユニットの概略端面図である。
【図６】図３の印刷ユニットの概略端面図である。
【図１】
2008534336.tif 000003
【図２】
2008534336.tif 000004
【図３】
2008534336.tif 000005
【図４】
2008534336.tif 000006
【図５】
2008534336.tif 000007
【図６】
2008534336.tif 000008
【国際調査報告】
2008534336.tif 000009